(57)【要約】【課題】カードケーブルからのノイズ放射を抑制し、より安価で省スペース化が可能とする。【解決手段】カードケーブル５の両側には、板金６および板金７が存在し、金属筐体２に接続され、Ｕの字型に曲げて板金６および板金７の間に収納されている。カードケーブル５は、復元力によって板金６および板金７へ押し当たる。これによって、移動式原稿読取部３が移動しても常に板金６および板金７へ押し当てられ、移動式原稿読取部３から画像処理制御基板１までの信号伝送のリターン経路が確保されている。板金６および板金７が外部に対して遮蔽体となり、ノイズ放射効率の増大を防ぐことができ、ＥＭＩ低減が可能となる。また、カードケーブル５内部導体のフレームグラウンドに対するインピーダンスを、ほぼ一定に出来る。このため、移動式原稿読取部３の走行に伴うカードケーブル５の形態変化による放射特性の変動を抑え、広い周波数帯域に渡って対策を施す必要を無くしている。【選択図】        図１
2004248112.tif 000002
【特許請求の範囲】
【請求項１】
読み取り対象の原稿面を光走査して画像データを読み取る移動式原稿読取部と、
前記移動式原稿読取部の読取動作の制御と読み取った画像データの受信を行なう画像処理制御部と、
前記移動式原稿読取部と前記画像処理制御部との間を接続するカードケーブルと、
前記カードケーブルの平面と平行且つ近接状態で設定された金属板と、
前記移動式原稿読取部の走行軌道となるレールとを有して構成され、
前記金属板を前記カードケーブルの保護体としたことを特徴とする画像読取装置。
【発明の詳細な説明】
【０００１】
【発明の属する技術分野】
本発明は、画像読取装置に関し、さらに詳述すると、本発明は、複写機、スキャナ、ファクシミリなどに適用され、不要輻射ノイズの低減化処理された画像読取装置に関する。
【０００２】
【従来の技術】
図６は、従来の画像読取装置の概略図である。以下、図６を用いて従来の画像読取装置の構成内容を説明する。従来の一般的な画像読取装置の構成例を示す図６において、画像処理制御基板１、金属筐体２、移動式原稿読取部３、レール４、カードケーブル１５の各部を有して構成される。本構成の移動式原稿読取部３は、光源、およびミラーを含めた光学系、および光センサを一体化したユニットであり、レール４上を走行することで原稿を光走査して画像データを読み取る仕組みになっている。この移動式原稿読取部３で読み取った画像信号および移動式原稿読取部３の制御信号、並びに光源への電源供給などのために、画像処理制御基板１との間に設定されたカードケーブル１５により接続されている。
【０００３】
本発明と技術分野の類似する先願発明例として、下記の特許文献がある。
【０００４】
【特許文献１】
特開平１１−４３３０号公報
上記の公開された特許文献１では、走行体の移動時において信号線の変動に起因する高周波のノイズの影響が少なく，かつ高速な周波数で駆動した場合でも走行体の走行に影響を与えない原稿読取装置を提供することを課題としている。
【０００５】
本課題において、読取対象の原稿面を光走査し，原稿の反射光をライン毎に導いて原稿画像情報を読み取る等倍センサユニトを有し、装置本体側が，等倍センサユニトに対して信号情報を光送信する発光素子と，等倍センサユニトからの読取信号を光受信する受光素子とを備えている。
【０００６】
【発明が解決しようとする課題】
しかしながら、上記従来例のカードケーブル１５は、移動式原稿読取部３の走行のために、金属筐体などの安定なグラウンド電位の金属に密着固定することが出来ず、信号レベルが浮き加減になる。このため、効率の良いノイズ放射源となり、ＥＭＩ低減化が困難である。
【０００７】
さらに、上記カードケーブル１５は、移動式原稿読取部３の走行に伴ってケーブル形態、および位置が時間変化する。このため、放射周波数特性が大きく変動し、広い周波数帯域に渡ってノイズ対策を必要とする問題を伴う。
【０００８】
この課題を解決する策としての特開平１１−４３３０号公報の「原稿読取装置」の提案では、光受光素子が高コストである点、光学系の光軸調整がさらに複雑になる点、及び光軸ずれを引き起こす振動に弱くなる点等から実用上に問題がある。さらに、電源供給線は、依然として有線であり放射源として働くことで、根本的な解決策であるとは言い難い。
【０００９】
本発明は、上記の課題の解決を図ったものであり、下記の目的を有している。
【００１０】
本発明の第１の目的は、カードケーブルからのノイズ放射を抑制することの可能な画像読取装置を提供することにある。
【００１１】
本出願に係る発明の第２の目的は、上記第１の目的に加えて、より安価で省スペース化が可能な画像読取装置を提供することにある。
【００１２】
【課題を解決するための手段】
上記第１の目的を達成するため、本出願に係る画像読取装置は、読み取り対象の原稿面を光走査して画像データを読み取る移動式原稿読取部と、移動式原稿読取部の読取動作の制御と読み取った画像データの受信を行なう画像処理制御部と、移動式原稿読取部と画像処理制御部との間を接続するカードケーブルと、カードケーブルの平面と平行且つ近接状態で設定された金属板と、移動式原稿読取部の走行軌道となるレールとを有して構成され、金属板をカードケーブルの保護体としたことを特徴としている。
【００１３】
【作用】
上記構成の第１の目的において、カードケーブルからのノイズ放射を抑制することの可能な画像読取装置を提供することである。
【００１４】
第２の目的において、第１の構成による作用および第１の目的に加えて、より安価でかつ省スペースな構成で放射ノイズの影響を避けることを可能とすることである。
【００１５】
【実施例】
次に、添付図面を参照して本発明による画像読取装置の実施例を詳細に説明する。図１から図５を参照すると、本発明の画像読取装置の一実施形態が示されている。
【００１６】
（実施例１）
図１は、本出願にかかる第１の発明の特徴を最も良く表す図面であり、画像読取装置の斜視図である。また、図２および図３は、図１に示した構成部を上から見たものであり、動きを説明するための図面である。なお、図２は移動式原稿読取部３がより上方に在り、図３は移動式原稿読取部３がより下方に在る状態を表している。これらの図２および図３は、特に、カードケーブル５の状態の在り様を示すことを目的としている。
【００１７】
以下、図１、図２、および図３を参照して本実施例１の構成内容を説明する。なお、従来図と同じ部分には同一符号を付加してある。従来例との違いを主点にして構成内容を以下に説明する。
【００１８】
本実施例１の画像読取装置は、画像処理制御基板１、金属筐体２、移動式原稿読取部３、レール４、カードケーブル５、板金６、７、板バネ８の各部を有して構成される。
【００１９】
図１に示した上記各部を有する画像読取装置において、画像処理制御基板１のシグナルグラウンドは、金属筐体２に接続されている。レール４に乗せられた移動式原稿読取部３は、走行して上面の原稿を光走査し原稿の画像を読み取る。
【００２０】
移動式原稿読取部３から画像処理制御基板１への画像信号の送信、および画像処理制御基板１から移動式原稿読取部３への制御信号の送信と電源の供給を担うカードケーブル５は、図に示したように、金属筐体側面に対して平行に配置される。カードケーブル５の両側には、板金６および板金７が存在し、金属筐体２に接続される。また、移動式原稿読取部３のグラウンドと板金７との間を、板バネ８によって電気的に接続する。
以上のようにして、画像読取装置を構成する。
【００２１】
カードケーブル５は、Ｕの字型に曲げて板金６および板金７の間に収納されている。本構成のカードケーブル５は、元の形に戻ろうとする復元力によって板金６および板金７へ押し当たる。これによって、図２および図３を見て判るように、移動式原稿読取部３が移動しても常に板金６および板金７へ押し当てられ、移動式原稿読取部３から画像処理制御基板１までの信号伝送のリターン経路が確保されている。本構成によれば、板金６および板金７が外部に対して遮蔽体となり、ノイズ放射効率の増大を防ぐことができ、ＥＭＩ低減化が可能となる。
【００２２】
また、カードケーブル５内部導体のフレームグラウンドに対するインピーダンスを、ほぼ一定に出来る。このため、移動式原稿読取部３の走行に伴うカードケーブル５の形態変化による放射特性の変動を抑え、広い周波数帯域に渡って対策を施す必要を無くしている。
【００２３】
以上説明したように、本出願に係る第１の発明によれば、簡単な構成で、カードケーブルからのノイズ放射を低減することのできる画像読取装置を提供することが可能となる。
【００２４】
なお、本実施例１で移動式原稿読取部３と板金７の接続に用いた板バネ８を、ガスケットや導電性ローラーなどの移動接触可能な他の部材に置き換えても同様の効果が得られることは言うまでも無い。
【００２５】
また、本実施例における図面では、自然状態では真っ直ぐなカードケーブル５を、１８０°折り曲げて画像処理制御基板１に接続する構成を図示している。しかし、元々曲がったカードケーブルを使うなどしても同様の効果が得られることは言うまでも無い。
【００２６】
（実施例２）
図４及び図５は、本出願にかかる第２の発明の特徴を最も良く表す図面である。以下、図４及び図５を参照して構成の内容を説明する。なお、図４及び図５において、実施例１の図１に対応する同じ部分には、同一符号を付加してある。
【００２７】
実施例１との相違点を主に説明する。図１に示す画像読取装置の板金６、７に対して、本実施例２では代わりにレール９を用いている。
【００２８】
レール９は、内部にカードケーブル５が収められ、本レール９の内壁の両側にカードケーブル５が押し当たるようになっている。さらに、レール９の上面には細長い開口１０が開けられ、カードケーブル５の画像処理制御基板１側の端部がこの開口１０に沿って上面へ出て、移動式原稿読取部３へ接続されている。レール９は、画像処理制御基板１の近傍において少なくとも１点以上で金属筐体２へ接続されている。
【００２９】
本実施例２は、実施例１と異なり、移動式原稿読取部３の走行のためのレール９を共用する。このため、新たな部材追加によるコスト上昇の抑制、および装置の小型化が可能となる。
【００３０】
以上説明したように、本実施例２の発明によれば、上記実施例１の発明と同様の効果が得られるとともに、低コスト化、省スペース化が可能な画像読取装置を提供することができる。
【００３１】
なお、上述の実施形態は本発明の好適な実施の一例である。ただし、これに限定されるものではなく、本発明の要旨を逸脱しない範囲内において種々変形実施が可能である。
【００３２】
多様化の構成例およびそれに付随する効果例を以下に列挙する。
上記の金属板は、カードケーブルを挟んだ平行する２枚の壁状態に配置されている。
よって、カードケーブルからのノイズ放射の低減化をより効率的に行うことができる。
【００３３】
上記のカードケーブルはＵ字形状とされ、平行する２枚の金属板がこのＵ字形状のカードケーブルを両サイド側から挟み、保護体としての機能が構成されている。
よって、カードケーブルからのノイズ放射の低減化をより効率的に行うことができる。
【００３４】
上記のＵ字形状のカードケーブルの、一方の端部が移動式原稿読取部と接続され、かつ他方の端部が画像処理制御部と接続され、金属板の平面とカードケーブルの平面とが、平行且つ近接して設定されている。
よって、カードケーブルからのノイズ放射の低減化をより効率的に行うことができる。
【００３５】
画像処理制御部のグラウンドと移動式原稿読取部のグラウンドとが、金属板と電気的に接続されて構成されている。
よって、カードケーブルからのノイズ放射の低減化をより効率的に行うことができる。
【００３６】
Ｕ字形状のカードケーブルは、このカードケーブルの元の形に戻ろうとする復元力によって金属板へ押し当たる構造としている。
よって、カードケーブルと金属板との良好な位置関係が自力で保たれ、カードケーブルからのノイズ放射の低減化をより効率的に行うことができる。
【００３７】
【発明の効果】
以上説明したように、本出願に係る第１の発明によれば、読み取り対象の原稿面を光走査して画像データを読み取り、この読取動作の制御と読み取った画像データの受信を行ない、これらの間を接続するカードケーブルの平面と平行且つ近接状態で金属板を設定し、金属板をカードケーブルの保護体としている。
これにより、簡単な構成で、カードケーブルからのノイズ放射を低減することが可能となる。
【図面の簡単な説明】
【図１】本発明の画像読取装置の実施形態を示す図である。
【図２】本発明の第１の実施例に係る画像読取装置を示す第１図である。
【図３】本発明の第１の実施例に係る画像読取装置を示す第２図である。
【図４】本発明の第２の実施例に係る画像読取装置の全体的な構成内容を示す図である。
【図５】本発明の第２の実施例に係る画像読取装置のレール周辺部の構成内容を示す図である。
【図６】従来例に係る画像読取装置を示す図である。
【符号の説明】
１  画像処理制御基板
２  金属筐体
３  移動式原稿読取部
４  レール
５、１５  カードケーブル
６、７  板金
８  板バネ
９  レール
１０  開口
【図１】
2004248112.tif 000003
【図２】
2004248112.tif 000004
【図３】
2004248112.tif 000005
【図４】
2004248112.tif 000006
【図５】
2004248112.tif 000007
【図６】
2004248112.tif 000008